(57)【要約】  レーザ加工装置（レーザ加工装置１）は、第１方向（Ｘ方向）に沿って移動可能とされ、前記第１方向及び前記第１方向に交差する第２方向（Ｙ方向）に沿って対象物（対象物１００）を支持するための支持部（支持部７）と、前記第２方向に沿って互いに対向するように配置され、前記支持部に支持された前記対象物にレーザ光を照射するための第１レーザ加工ヘッド（レーザ加工ヘッド１０ａ）及び第２レーザ加工ヘッド（レーザ加工ヘッド１０ｂ）と、前記第１レーザ加工ヘッドが取り付けられ、前記第１方向及び前記第２方向に交差する第３方向（Ｚ方向）と前記第２方向とのそれぞれに沿って移動可能とされた第１取付部（取付部６５）と、前記第２レーザ加工ヘッドが取り付けられ、前記第２方向と前記第３方向とのそれぞれに沿って移動可能とされた第２取付部（取付部６６）と、を備える。
2020090906.tif 000002
【特許請求の範囲】
【請求項１】
第１方向に沿って移動可能とされ、前記第１方向及び前記第１方向に交差する第２方向に沿って対象物を支持するための支持部と、  前記第２方向に沿って互いに対向するように配置され、前記支持部に支持された前記対象物にレーザ光を照射するための第１レーザ加工ヘッド及び第２レーザ加工ヘッドと、  前記第１レーザ加工ヘッドが取り付けられ、前記第１方向及び前記第２方向に交差する第３方向と前記第２方向とのそれぞれに沿って移動可能とされた第１取付部と、  前記第２レーザ加工ヘッドが取り付けられ、前記第２方向と前記第３方向とのそれぞれに沿って移動可能とされた第２取付部と、  を備える、  レーザ加工装置。
【請求項２】
前記第１レーザ加工ヘッドは、第１筐体と、前記第１筐体における前記支持部側の壁部に設けられ、前記支持部に支持された前記対象物に向けて前記レーザ光を集光するための第１集光部と、を有し、  前記第２レーザ加工ヘッドは、第２筐体と、前記第２筐体における前記支持部側の壁部に設けられ、前記支持部に支持された前記対象物に向けて前記レーザ光を集光するための第２集光部と、を有し、  前記第１取付部及び前記第２取付部は、それぞれ、前記第１筐体及び前記第２筐体における前記第２方向に沿って互いに対向する対向壁部と異なる壁部に取り付けられており、  前記第１集光部は、前記第３方向からみて、前記第１筐体における前記対向壁部側に偏って配置されており、  前記第２集光部は、前記第３方向からみて、前記第２筐体における前記対向壁部側に偏って配置されている、  請求項１に記載のレーザ加工装置。
【請求項３】
前記支持部、前記第１取付部、及び、前記第２取付部の移動と、前記第１レーザ加工ヘッド及び前記第２レーザ加工ヘッドからの前記レーザ光の照射と、を制御する制御部をさらに備え、  前記対象物には、前記第１方向に沿って延びると共に前記第２方向に沿って配列された複数のラインが設定されており、  前記制御部は、前記複数のラインの一のラインに対して前記第１レーザ加工ヘッドからの前記レーザ光を前記第１方向にスキャンする第１スキャン処理と、前記複数のラインのうちの別のラインに対して前記第２レーザ加工ヘッドからの前記レーザ光を前記第１方向にスキャンする第２スキャン処理とを、少なくとも一部の時間において重複するように実行する、  請求項２に記載のレーザ加工装置。
【請求項４】
前記制御部は、前記複数のラインのうちの前記対象物の前記第２方向の一方の端部に位置するラインから前記第２方向の内側のラインに向けて順に前記第１スキャン処理を実行しつつ、前記複数のラインのうちの前記対象物の前記第２方向の他方の端部に位置するラインから前記第２方向の内側のラインに向けて順に前記第２スキャン処理を実行する主加工処理を実行する、  請求項３に記載のレーザ加工装置。
【請求項５】
前記制御部は、前記主加工処理の結果、前記第１レーザ加工ヘッドと前記第２レーザ加工ヘッドとが前記第２方向について最接近したときに、前記対象物における前記第１集光部と前記第２集光部との間の領域に前記複数のラインのうちの一部のラインが残存しているときには、前記第１レーザ加工ヘッド及び前記第２レーザ加工ヘッドのうちの一方を、前記対象物の当該領域から退避させつつ、前記第１レーザ加工ヘッド及び前記第２レーザ加工ヘッドのうちの他方からの前記レーザ光を前記一部のラインに対して前記第１方向にスキャンする後加工処理を実行する、  請求項４に記載のレーザ加工装置。
【請求項６】
前記第１レーザ加工ヘッドと前記第２レーザ加工ヘッドとが前記第２方向について最接近したときの前記第１集光部と前記第２集光部との前記第２方向の距離を距離Ｄとすると、前記制御部は、前記主加工処理の結果、前記第１集光部と前記第２集光部とが第２方向に徐々に近接して互いの距離が距離Ｄの２倍に至る前に、第１レーザ加工ヘッド及び第２レーザ加工ヘッドの一方を、第１レーザ加工ヘッド及び第２レーザ加工ヘッドの他方側に距離Ｄだけ移動させると共に、前記第１集光部と前記第２集光部との距離を維持しながら前記第１スキャン処理及び前記第２スキャン処理を実行する後加工処理を実行する、  請求項４に記載のレーザ加工装置。
【請求項７】
前記第１取付部は、前記第１筐体における前記対向壁部の反対側の壁部に取り付けられており、  前記第２取付部は、前記第２筐体における前記対向壁部の反対側の壁部に取り付けられている、  請求項２〜５のいずれか一項に記載のレーザ加工装置。
【請求項８】
前記第１レーザ加工ヘッドは、前記第１方向において互いに対向する第１壁部及び第２壁部と、前記第２方向において互いに対向する第３壁部及び第４壁部と、を含む第１筐体を有しており、  前記第２レーザ加工ヘッドは、前記第１方向において互いに対向する第１壁部及び第２壁部と、前記第２方向において互いに対向する第３壁部及び第４壁部と、を含む第２筐体を有しており、  前記第３壁部と前記第４壁部との距離は、前記第１壁部と前記第２壁部との距離よりも小さい、  請求項１に記載のレーザ加工装置。
【請求項９】
前記第１筐体及び前記第２筐体は、前記第１方向において互いに対向する第１壁部及び第２壁部と、前記第２方向において互いに対向する第３壁部及び第４壁部と、を含み、  前記第３壁部と前記第４壁部との距離は、前記第１壁部と前記第２壁部との距離よりも小さい、  請求項２〜７のいずれか一項に記載のレーザ加工装置。
【発明の詳細な説明】
【技術分野】
【０００１】  本開示は、レーザ加工装置に関する。
【背景技術】
【０００２】  特許文献１には、ワークを保持する保持機構と、保持機構に保持されたワークにレーザ光を照射するレーザ照射機構と、を備えるレーザ加工装置が記載されている。特許文献１に記載のレーザ加工装置では、集光レンズを有するレーザ照射機構が基台に対して固定されており、集光レンズの光軸に垂直な方向に沿ったワークの移動が保持機構によって実施される。
【先行技術文献】
【特許文献】
【０００３】
【特許文献１】特許第５４５６５１０号公報
【発明の概要】
【発明が解決しようとする課題】
【０００４】  ところで、上述したようなレーザ加工装置にあっては、スループットの向上が望まれている。スループットの向上のためには、例えば、保持機構によるワークの移動速度を増大させることが考えられる。しかしながら、ワークの移動速度を増大させようとしても、ワークの移動が、目標の速度での等速移動に達するまでに要する加速時間も増大する。このため、ワークの移動速度の増大では、一定以上のスループットの向上が困難である。【０００５】  本開示は、スループットを向上可能なレーザ加工装置を提供することを目的とする。
【課題を解決するための手段】
【０００６】  本開示に係るレーザ加工装置は、第１方向に沿って移動可能とされ、第１方向及び第１方向に交差する第２方向に沿って対象物を支持するための支持部と、第２方向に沿って互いに対向するように配置され、支持部に支持された対象物にレーザ光を照射するための第１レーザ加工ヘッド及び第２レーザ加工ヘッドと、第１レーザ加工ヘッドが取り付けられ、第１方向及び第２方向に交差する第３方向と第２方向とのそれぞれに沿って移動可能とされた第１取付部と、第２レーザ加工ヘッドが取り付けられ、第２方向と第３方向とのそれぞれに沿って移動可能とされた第２取付部と、を備える。【０００７】  この装置においては、対象物を支持する支持部上に、互に対向するように第１レーザ加工ヘッド及び第２レーザ加工ヘッドが配置されている。そして、第１レーザ加工ヘッド及び第２レーザ加工ヘッドは、それぞれ、第１取付部及び第２取付部を介して、互に交差する２方向に独立して移動可能とされている。このため、対象物の２つの箇所において、互に独立して、レーザ光のスキャンによりレーザ加工を行うことが可能となる。よって、スループットの向上が図られる。【０００８】  本開示に係るレーザ加工装置においては、第１レーザ加工ヘッドは、第１筐体と、第１筐体における支持部側の壁部に設けられ、支持部に支持された対象物に向けてレーザ光を集光するための第１集光部と、を有し、第２レーザ加工ヘッドは、第２筐体と、第２筐体における支持部側の壁部に設けられ、支持部に支持された対象物に向けてレーザ光を集光するための第２集光部と、を有し、第１取付部及び第２取付部は、それぞれ、第１筐体及び第２筐体における第２方向に沿って互いに対向する対向壁部と異なる壁部に取り付けられており、第１集光部は、第３方向からみて、第１筐体における対向壁部側に偏って配置されており、第２集光部は、第３方向からみて、第２筐体における対向壁部側に偏って配置されていてもよい。【０００９】  この場合、第１レーザ加工ヘッドと第２レーザ加工ヘッドとの間に、第１取付部及び第２取付部が介在しない。したがって、第２方向について第１レーザ加工ヘッドと第２レーザ加工ヘッドとをより接近させることができる。さらに、第１レーザ加工ヘッド及び第２レーザ加工ヘッドのそれぞれの集光部が、それぞれの筐体の互いに対向する壁部側に偏って配置されている。このため、第１レーザ加工ヘッドと第２レーザ加工ヘッドとを接近させたときに、互いの集光部同士の距離をより小さくできる。この結果、第２方向について、より狭い領域まで第１レーザ加工ヘッド及び第２レーザ加工ヘッドの両方を用いた加工が可能となる。したがって、スループットを確実に向上可能である。【００１０】  本開示に係るレーザ加工装置は、支持部、第１取付部、及び、第２取付部の移動と、第１レーザ加工ヘッド及び第２レーザ加工ヘッドからのレーザ光の照射と、を制御する制御部をさらに備え、対象物には、第１方向に沿って延びると共に第２方向に沿って配列された複数のラインが設定されており、制御部は、複数のラインの一のラインに対して第１レーザ加工ヘッドからのレーザ光を第１方向にスキャンする第１スキャン処理と、複数のラインのうちの別のラインに対し��第２レーザ加工ヘッドからのレーザ光を第１方向にスキャンする第２スキャン処理とを、少なくとも一部の時間において重複するように実行してもよい。このように、第１スキャン処理と第２スキャン処理とを、少なくとも一部重複して実行することにより、スループットの向上が図られる。なお、第１スキャン処理と第２スキャン処理とを同時に行うことにより、より確実にスループットを向上できる。【００１１】  本開示に係るレーザ加工装置においては、制御部は、複数のラインのうちの対象物の第２方向の一方の端部に位置するラインから第２方向の内側のラインに向けて順に第１スキャン処理を実行しつつ、複数のラインのうちの対象物の第２方向の他方の端部に位置するラインから第２方向の内側のラインに向けて順に第２スキャン処理を実行する主加工処理を実行してもよい。このように、主加工処理において、第２方向における対象物の対照的な位置のラインから順に第１スキャン処理及び第２スキャン処理を実行することにより、レーザ光の集光点の対象物に対する第１方向に沿った相対移動の無駄が省かれ、スループットがより向上される。【００１２】  本開示に係るレーザ加工装置においては、制御部は、主加工処理の結果、第１レーザ加工ヘッドと第２レーザ加工ヘッドとが第２方向について最接近したときに、対象物における第１集光部と第２集光部との間の領域に複数のラインのうちの一部のラインが残存しているときには、第１レーザ加工ヘッド及び第２レーザ加工ヘッドのうちの一方を、対象物の当該領域から退避させつつ、第１レーザ加工ヘッド及び第２レーザ加工ヘッドのうちの他方からのレーザ光を一部のラインに対して第１方向にスキャンする後加工処理を実行してもよい。この場合、スループットを向上させつつ、漏れなくレーザ加工が可能である。【００１３】  本開示に係るレーザ加工装置においては、前記第１レーザ加工ヘッドと前記第２レーザ加工ヘッドとが前記第２方向について最接近したときの前記第１集光部と前記第２集光部との前記第２方向の距離を距離Ｄとすると、前記制御部は、前記主加工処理の結果、前記第１集光部と前記第２集光部とが第２方向に徐々に近接して互いの距離が距離Ｄの２倍に至る前に、第１レーザ加工ヘッド及び第２レーザ加工ヘッドの一方を、第１レーザ加工ヘッド及び第２レーザ加工ヘッドの他方側に距離Ｄだけ移動させると共に、前記第１集光部と前記第２集光部との距離を維持しながら前記第１スキャン処理及び前記第２スキャン処理を実行する後加工処理を実行してもよい。この場合、一対のレーザ加工ヘッドのうちの一方のみでの加工時間を可能な限り減らしてスループットのさらなる向上が図られる。特に、第２方向におけるラインの間隔が、距離Ｄに対して十分に小さい場合（例えば、距離Ｄの範囲に数百のラインが存在する場合）に有効である。【００１４】  本開示に係るレーザ加工装置においては、第１取付部は、第１筐体における対向壁部の反対側の壁部に取り付けられており、第２取付部は、第２筐体における対向壁部の反対側の壁部に取り付けられていてもよい。この場合、第１取付部及び第２取付部を、第１レーザ加工ヘッドと第２レーザ加工ヘッドとの間に介在しないように、容易且つ確実に、第１レーザ加工ヘッド及び第２レーザ加工ヘッドに取り付けることが可能である。【００１５】  本開示に係るレーザ加工装置においては、第１レーザ加工ヘッドは、第１方向において互いに対向する第１壁部及び第２壁部と、第２方向において互いに対向する第３壁部及び第４壁部と、を含む第１筐体を有しており、第２レーザ加工ヘッドは、第１方向において互いに対向する第１壁部及び第２壁部と、第２方向において互いに対向する第３壁部及び第４壁部と、を含む第２筐体を有しており、第３壁部と第４壁部との距離は、第１壁部と第２壁部との距離よりも小さくてもよい。【００１６】  本開示に係るレーザ加工装置においては、第１筐体及び第２筐体は、第１方向において互いに対向する第１壁部及び第２壁部と、第２方向において互いに対向する第３壁部及び第４壁部と、を含み、第３壁部と第４壁部との距離は、第１壁部と第２壁部との距離よりも小さくてもよい。【００１７】  これらの場合、２つのレーザ加工ヘッドのそれぞれの筐体の第２方向のサイズが第１方向のサイズよりも小さくなる。このため、装置全体として第２方向に大型化される（フットプリントが大きくなる）ことが避けられる。なお、第１方向は、支持部及び対象物の移動方向である。このため、第１方向については、レーザ光のスキャンに際した支持部及び対象物の移動量を考慮する必要があり、大型化の抑制の余地が小さい。よって、支持部及び対象物の移動量を考慮する必要のない第２方向について大型化を避けることが有効である。
【発明の効果】
【００１８】  本開示によれば、スループットを向上可能なレーザ加工装置を提供できる。
【図面の簡単な説明】
【００１９】
【図１】一実施形態のレーザ加工装置の斜視図である。
【図２】図１に示されるレーザ加工装置の一部分の正面図である。
【図３】図１に示されるレーザ加工装置のレーザ加工ヘッドの正面図である。
【図４】図３に示されるレーザ加工ヘッドの側面図である。
【図５】図３に示されるレーザ加工ヘッドの光学系の構成図である。
【図６】変形例のレーザ加工ヘッドの光学系の構成図である。
【図７】変形例のレーザ加工装置の一部分の正面図である。
【図８】レーザ加工装置の動作を示す模式的な上面図である。
【図９】レーザ加工装置の動作を示す模式的な上面図である。
【図１０】レーザ加工装置の動作を示す模式的な上面図である。
【図１１】レーザ加工装置の動作を示す模式的な上面図である。
【図１２】レーザ加工装置の動作を示す模式的な上面図である。
【図１３】取付部及びレーザ加工ヘッドの変形例を示す図である。
【図１４】取付部及びレーザ加工ヘッドの変形例を示す図である。
【図１５】取付部及びレーザ加工ヘッドの変形例を示す図である。
【図１６】取付部及びレーザ加工ヘッドの変形例を示す図である。
【図１７】取付部及びレーザ加工ヘッドの変形例を示す図である。
【図１８】取付部及びレーザ加工ヘッドの変形例を示す図である。
【図１９】後加工処理の別の例を示す上面図である。
【図２０】後加工処理の別の例を示す上面図である。
【発明を実施するための形態】
【００２０】  以下、一実施形態について、図面を参照して詳細に説明する。なお、各図において同一又は相当部分には同一符号を付し、重複する説明を省略する。［レーザ加工装置の構成］
【００２１】  図１に示されるように、レーザ加工装置１は、複数の移動機構５，６と、支持部７と、１対のレーザ加工ヘッド（第１レーザ加工ヘッド、第２レーザ加工ヘッド）１０Ａ，１０Ｂと、光源ユニット８と、制御部９と、を備えている。以下、第１方向をＸ方向、第１方向に垂直な第２方向をＹ方向、第１方向及び第２方向に垂直な第３方向をＺ方向という。本実施形態では、Ｘ方向及びＹ方向は水平方向であり、Ｚ方向は鉛直方向である。
【００２２】  移動機構５は、固定部５１と、移動部５３と、取付部５５と、を有している。固定部５１は、装置フレーム１ａに取り付けられている。移動部５３は、固定部５１に設けられたレールに取り付けられており、Ｙ方向に沿って移動することができる。取付部５５は、移動部５３に設けられたレールに取り付けられており、Ｘ方向に沿って移動することができる。
【００２３】  移動機構６は、固定部６１と、１対の移動部（第１移動部、第２移動部）６３，６４と、１対の取付部（第１取付部、第２取付部）６５，６６と、を有している。固定部６１は、装置フレーム１ａに取り付けられている。１対の移動部６３，６４のそれぞれは、固定部６１に設けられたレールに取り付けられており、それぞれが独立して、Ｙ方向に沿って移動することができる。取付部６５は、移動部６３に設けられたレールに取り付けられており、Ｚ方向に沿って移動することができる。取付部６６は、移動部６４に設けられたレールに取り付けられており、Ｚ方向に沿って移動することができる。つまり、装置フレーム１ａに対しては、１対の取付部６５，６６のそれぞれが、Ｙ方向及びＺ方向のそれぞれに沿って移動することができる。
【００２４】  支持部７は、移動機構５の取付部５５に設けられた回転軸に取り付けられており、Ｚ方向に平行な軸線を中心線として回転することができる。つまり、支持部７は、Ｘ方向及びＹ方向のそれぞれに沿って移動することができ、Ｚ方向に平行な軸線を中心線として回転することができる。支持部７は、Ｘ方向及びＹ方向に沿って対象物１００を支持する。対象物１００は、例えば、ウェハである。
【００２５】  図１及び図２に示されるように、レーザ加工ヘッド１０Ａ（例えば第１レーザ加工ヘッド）は、移動機構６の取付部６５に取り付けられている。レーザ加工ヘッド１０Ａは、Ｚ方向において支持部７と対向した状態で、支持部７に支持された対象物１００にレーザ光（第１レーザ光）Ｌ１を照射するためのものである。レーザ加工ヘッド１０Ｂ（例えば第２レーザ加工ヘッド）は、移動機構６の取付部６６に取り付けられている。レーザ加工ヘッド１０Ｂは、Ｚ方向において支持部７と対向した状態で、支持部７に支持された対象物１００にレーザ光（第２レーザ光）Ｌ２を照射するためのものである。
【００２６】  光源ユニット８は、１対の光源８１，８２を有している。光源８１は、レーザ光Ｌ１を出力する。レーザ光Ｌ１は、光源８１の出射部８１ａから出射され、光ファイバ２によってレーザ加工ヘッド１０Ａに導光される。光源８２は、レーザ光Ｌ２を出力する。レーザ光Ｌ２は、光源８２の出射部８２ａから出射され、別の光ファイバ２によってレーザ加工ヘッド１０Ｂに導光される。
【００２７】  制御部９は、レーザ加工装置１の各部（複数の移動機構５，６、１対のレーザ加工ヘッド１０Ａ，１０Ｂ、及び光源ユニット８等）を制御する。制御部９は、プロセッサ、メモリ、ストレージ及び通信デバイス等を含むコンピュータ装置として構成されている。制御部９では、メモリ等に読み込まれたソフトウェア（プログラム）が、プロセッサによって実行され、メモリ及びストレージにおけるデータの読み出し及び書き込み、並びに、通信デバイスによる通信が、プロセッサによって制御される。これにより、制御部９は、各種機能を実現する。
【００２８】  以上のように構成されたレーザ加工装置１による加工の一例について説明する。当該加工の一例は、ウェハである対象物１００を複数のチップに切断するために、格子状に設定された複数のラインのそれぞれに沿って対象物１００の内部に改質領域を形成する例である。
【００２９】  まず、対象物１００を支持している支持部７がＺ方向において１対のレーザ加工ヘッド１０Ａ，１０Ｂと対向するように、移動機構５が、Ｘ方向及びＹ方向のそれぞれに沿って支持部７を移動させる。続いて、対象物１００において一方向に延在する複数のラインがＸ方向に沿うように、移動機構５が、Ｚ方向に平行な軸線を中心線として支持部７を回転させる。
【００３０】  続いて、一方向に延在する一のライン上にレーザ光Ｌ１の集光点が位置するように、移動機構６が、Ｙ方向に沿ってレーザ加工ヘッド１０Ａを移動させる。その一方で、一方向に延在する他のライン上にレーザ光Ｌ２の集光点が位置するように、移動機構６が、Ｙ方向に沿ってレーザ加工ヘッド１０Ｂを移動させる。続いて、対象物１００の内部にレーザ光Ｌ１の集光点が位置するように、移動機構６が、Ｚ方向に沿ってレーザ加工ヘッド１０Ａを移動させる。その一方で、対象物１００の内部にレーザ光Ｌ２の集光点が位置するように、移動機構６が、Ｚ方向に沿ってレーザ加工ヘッド１０Ｂを移動させる。
【００３１】  続いて、光源８１がレーザ光Ｌ１を出力してレーザ加工ヘッド１０Ａが対象物１００にレーザ光Ｌ１を照射すると共に、光源８２がレーザ光Ｌ２を出力してレーザ加工ヘッド１０Ｂが対象物１００にレーザ光Ｌ２を照射する。それと同時に、一方向に延在する一のラインに沿ってレーザ光Ｌ１の集光点が相対的に移動し（レーザ光Ｌ１がスキャンされ）且つ一方向に延在する他のラインに沿ってレーザ光Ｌ２の集光点が相対的に移動する（レーザ光Ｌ２がスキャンされる）ように、移動機構５が、Ｘ方向に沿って支持部７を移動させる。このようにして、レーザ加工装置１は、対象物１００において一方向に延在する複数のラインのそれぞれに沿って、対象物１００の内部に改質領域を形成する。
【００３２】  続いて、対象物１００において一方向と直交する他方向に延在する複数のラインがＸ方向に沿うように、移動機構５が、Ｚ方向に平行な軸線を中心線として支持部７を回転させる。
【００３３】  続いて、他方向に延在する一のライン上にレーザ光Ｌ１の集光点が位置するように、移動機構６が、Ｙ方向に沿ってレーザ加工ヘッド１０Ａを移動させる。その一方で、他方向に延在する他のライン上にレーザ光Ｌ２の集光点が位置するように、移動機構６が、Ｙ方向に沿ってレーザ加工ヘッド１０Ｂを移動させる。続いて、対象物１００の内部にレーザ光Ｌ１の集光点が位置するように、移動機構６が、Ｚ方向に沿ってレーザ加工ヘッド１０Ａを移動させる。その一方で、対象物１００の内部にレーザ光Ｌ２の集光点が位置するように、移動機構６が、Ｚ方向に沿ってレーザ加工ヘッド１０Ｂを移動させる。
【００３４】  続いて、光源８１がレーザ光Ｌ１を出力してレーザ加工ヘッド１０Ａが対象物１００にレーザ光Ｌ１を照射すると共に、光源８２がレーザ光Ｌ２を出力してレーザ加工ヘッド１０Ｂが対象物１００にレーザ光Ｌ２を照射する。それと同時に、他方向に延在する一のラインに沿ってレーザ光Ｌ１の集光点が相対的に移動し（レーザ光Ｌ１がスキャンされ）且つ他方向に延在する他のラインに沿ってレーザ光Ｌ２の集光点が相対的に移動する（レーザ光Ｌ２がスキャンされる）ように、移動機構５が、Ｘ方向に沿って支持部７を移動させる。このようにして、レーザ加工装置１は、対象物１００において一方向と直交する他方向に延在する複数のラインのそれぞれに沿って、対象物１００の内部に改質領域を形成する。
【００３５】  なお、上述した加工の一例では、光源８１は、例えばパルス発振方式によって、対象物１００に対して透過性を有するレーザ光Ｌ１を出力し、光源８２は、例えばパルス発振方式によって、対象物１００に対して透過性を有するレーザ光Ｌ２を出力する。そのようなレーザ光が対象物１００の内部に集光されると、レーザ光の集光点に対応する部分においてレーザ光が特に吸収され、対象物１００の内部に改質領域が形成される。改質領域は、密度、屈折率、機械的強度、その他の物理的特性が周囲の非改質領域とは異なる領域である。改質領域としては、例えば、溶融処理領域、クラック領域、絶縁破壊領域、屈折率変化領域等がある。
【００３６】  パルス発振方式によって出力されたレーザ光が対象物１００に照射され、対象物１００に設定されたラインに沿ってレーザ光の集光点が相対的に移動させられると、複数の改質スポットがラインに沿って１列に並ぶように形成される。１つの改質スポットは、１パルスのレーザ光の照射によって形成される。１列の改質領域は、１列に並んだ複数の改質スポットの集合である。隣り合う改質スポットは、対象物１００に対するレーザ光の集光点の相対的な移動速度及びレーザ光の繰り返し周波数によって、互いに繋がる場合も、互いに離れる場合もある。［レーザ加工ヘッドの構成］
【００３７】  図３及び図４に示されるように、レーザ加工ヘッド１０Ａは、筐体（例えば第１筐体）１１と、入射部１２と、調整部１３と、集光部（例えば第１集光部）１４と、を備えている。
【００３８】  筐体１１は、第１壁部２１及び第２壁部２２、第３壁部２３及び第４壁部２４、並びに、第５壁部２５及び第６壁部２６を有している。第１壁部２１及び第２壁部２２は、Ｘ方向において互いに対向している。第３壁部２３及び第４壁部２４は、Ｙ方向において互いに対向している。第５壁部２５及び第６壁部２６は、Ｚ方向において互いに対向している。
【００３９】  第３壁部２３と第４壁部２４との距離は、第１壁部２１と第２壁部２２との距離よりも小さい。第１壁部２１と第２壁部２２との距離は、第５壁部２５と第６壁部２６との距離よりも小さい。なお、第１壁部２１と第２壁部２２との距離は、第５壁部２５と第６壁部２６との距離と等しくてもよいし、或いは、第５壁部２５と第６壁部２６との距離よりも大きくてもよい。
【００４０】  レーザ加工ヘッド１０Ａでは、第１壁部２１は、移動機構６の固定部６１側に位置しており、第２壁部２２は、固定部６１とは反対側に位置している。第３壁部２３は、移動機構６の取付部６５側に位置しており、第４壁部２４は、取付部６５とは反対側であってレーザ加工ヘッド１０Ｂ側に位置している（図２参照）。すなわち、第４壁部２４は、レーザ加工ヘッド１０Ｂの筐体（第２筐体）にＹ方向に沿って対向する対向壁部である。第５壁部２５は、支持部７とは反対側に位置しており、第６壁部２６は、支持部７側に位置している。
【００４１】  筐体１１は、第３壁部２３が移動機構６の取付部６５側に配置された状態で筐体１１が取付部６５に取り付けられるように、構成されている。具体的には、次のとおりである。取付部６５は、ベースプレート６５ａと、取付プレート６５ｂと、を有している。ベースプレート６５ａは、移動部６３に設けられたレールに取り付けられている（図２参照）。取付プレート６５ｂは、ベースプレート６５ａにおけるレーザ加工ヘッド１０Ｂ側の端部に立設されている（図２参照）。筐体１１は、第３壁部２３が取付プレート６５ｂに接触した状態で、台座２７を介してボルト２８が取付プレート６５ｂに螺合されることで、取付部６５に取り付けられている。台座２７は、第１壁部２１及び第２壁部２２のそれぞれに設けられている。筐体１１は、取付部６５に対して着脱可能である。
【００４２】  入射部１２は、第５壁部２５に取り付けられている。入射部１２は、筐体１１内にレーザ光Ｌ１を入射させる。入射部１２は、Ｘ方向においては第２壁部２２側（一方の壁部側）に片寄っており、Ｙ方向においては第４壁部２４側に片寄っている。つまり、Ｘ方向における入射部１２と第２壁部２２との距離は、Ｘ方向における入射部１２と第１壁部２１との距離よりも小さく、Ｙ方向における入射部１２と第４壁部２４との距離は、Ｘ方向における入射部１２と第３壁部２３との距離よりも小さい。
【００４３】  入射部１２は、光ファイバ２の接続端部２ａが接続可能となるように構成されている。光ファイバ２の接続端部２ａには、ファイバの出射端から出射されたレーザ光Ｌ１をコリメートするコリメータレンズが設けられており、戻り光を抑制するアイソレータが設けられていない。当該アイソレータは、接続端部２ａよりも光源８１側であるファイバの途中に設けられている。これにより、接続端部２ａの小型化、延いては、入射部１２の小型化が図られている。なお、光ファイバ２の接続端部２ａにアイソレータが設けられていてもよい。
【００４４】  調整部１３は、筐体１１内に配置されている。調整部１３は、入射部１２から入射したレーザ光Ｌ１を調整する。調整部１３は、筐体１１内において、仕切壁部２９に対して第４壁部２４側に配置されている。調整部１３は、仕切壁部２９に取り付けられている。仕切壁部２９は、筐体１１内に設けられており、筐体１１内の領域を第３壁部２３側の領域と第４壁部２４側の領域とに仕切っている。仕切壁部２９は、筐体１１と一体となっている。調整部１３が有する各構成は、第４壁部２４側において仕切壁部２９に取り付けられている。仕切壁部２９は、調整部１３が有する各構成を支持する光学ベースとして機能している。調整部１３が有する各構成の詳細については後述する。
【００４５】  集光部１４は、第６壁部２６に配置されている。具体的には、集光部１４は、第６壁部２６に形成された孔２６ａに挿通された状態で、第６壁部２６に配置されている。集光部１４は、調整部１３によって調整されたレーザ光Ｌ１を集光しつつ筐体１１外に出射させる。集光部１４は、Ｘ方向においては第２壁部２２側（一方の壁部側）に片寄っており、Ｙ方向においては第４壁部２４側に片寄っている。すなわち、集光部１４は、Ｚ方向からみて、筐体１１における第４壁部（対向壁部）２４側に偏って配置されている。つまり、Ｘ方向における集光部１４と第２壁部２２との距離は、Ｘ方向における集光部１４と第１壁部２１との距離よりも小さく、Ｙ方向における集光部１４と第４壁部２４との距離は、Ｘ方向における集光部１４と第３壁部２３との距離よりも小さい。
【００４６】  図５に示されるように、調整部１３は、アッテネータ３１と、ビームエキスパンダ３２と、ミラー３３と、を有している。入射部１２、並びに、調整部１３のアッテネータ３１、ビームエキスパンダ３２及びミラー３３は、Ｚ方向に沿って延在する直線（第１直線）Ａ１上に配置されている。アッテネータ３１及びビームエキスパンダ３２は、直線Ａ１上において、入射部１２とミラー３３との間に配置されている。アッテネータ３１は、入射部１２から入射したレーザ光Ｌ１の出力を調整する。ビームエキスパンダ３２は、アッテネータ３１で出力が調整されたレーザ光Ｌ１の径を拡大する。ミラー３３は、ビームエキスパンダ３２で径が拡大されたレーザ光Ｌ１を反射する。
【００４７】  調整部１３は、反射型空間光変調器３４と、結像光学系３５と、を更に有している。調整部１３の反射型空間光変調器３４及び結像光学系３５、並びに、集光部１４は、Ｚ方向に沿って延在する直線（第２直線）Ａ２上に配置されている。反射型空間光変調器３４は、ミラー３３で反射されたレーザ光Ｌ１を変調する。反射型空間光変調器３４は、例えば、反射型液晶（ＬＣＯＳ：Liquid  Crystal  on  Silicon）の空間光変調器（ＳＬＭ：Spatial  Light  Modulator）である。結像光学系３５は、反射型空間光変調器３４の反射面３４ａと集光部１４の入射瞳面１４ａとが結像関係にある両側テレセントリック光学系を構成している。結像光学系３５は、３つ以上のレンズによって構成されている。
【００４８】  直線Ａ１及び直線Ａ２は、Ｙ方向に垂直な平面上に位置している。直線Ａ１は、直線Ａ２に対して第２壁部２２側（一方の壁部側）に位置している。レーザ加工ヘッド１０Ａでは、レーザ光Ｌ１は、入射部１２から筐体１１内に入射して直線Ａ１上を進行し、ミラー３３及び反射型空間光変調器３４で順次に反射された後、直線Ａ２上を進行して集光部１４から筐体１１外に出射する。なお、アッテネータ３１及びビームエキスパンダ３２の配列の順序は、逆であってもよい。また、アッテネータ３１は、ミラー３３と反射型空間光変調器３４との間に配置されていてもよい。また、調整部１３は、他の光学部品（例えば、ビームエキスパンダ３２の前に配置されるステアリングミラー等）を有していてもよい。
【００４９】  レーザ加工ヘッド１０Ａは、ダイクロイックミラー１５と、測定部１６と、観察部１７と、駆動部１８と、回路部１９と、を更に備えている。
【００５０】  ダイクロイックミラー１５は、直線Ａ２上において、結像光学系３５と集光部１４との間に配置されている。つまり、ダイクロイックミラー１５は、筐体１１内において、調整部１３と集光部１４との間に配置されている。ダイクロイックミラー１５は、第４壁部２４側において仕切壁部２９に取り付けられている。ダイクロイックミラー１５は、レーザ光Ｌ１を透過させる。ダイクロイックミラー１５は、非点収差を抑制する観点では、例えば、キューブ型、又は、ねじれの関係を有するように配置された２枚のプレート型とすることができる。
【００５１】  測定部１６は、筐体１１内において、調整部１３に対して第１壁部２１側（一方の壁部側とは反対側）に配置されている。測定部１６は、第４壁部２４側において仕切壁部２９に取り付けられている。測定部１６は、対象物１００の表面（例えば、レーザ光Ｌ１が入射する側の表面）と集光部１４との距離を測定するための測定光Ｌ１０を出力し、集光部１４を介して、対象物１００の表面で反射された測定光Ｌ１０を検出する。つまり、測定部１６から出力された測定光Ｌ１０は、集光部１４を介して対象物１００の表面に照射され、対象物１００の表面で反射された測定光Ｌ１０は、集光部１４を介して測定部１６で検出される。
【００５２】  より具体的には、測定部１６から出力された測定光Ｌ１０は、第４壁部２４側において仕切壁部２９に取り付けられたビームスプリッタ２０及びダイクロイックミラー１５で順次に反射され、集光部１４から筐体１１外に出射する。対象物１００の表面で反射された測定光Ｌ１０は、集光部１４から筐体１１内に入射してダイクロイックミラー１５及びビームスプリッタ２０で順次に反射され、測定部１６に入射し、測定部１６で検出される。
【００５３】  観察部１７は、筐体１１内において、調整部１３に対して第１壁部２１側（一方の壁部側とは反対側）に配置されている。観察部１７は、第４壁部２４側において仕切壁部２９に取り付けられている。観察部１７は、対象物１００の表面（例えば、レーザ光Ｌ１が入射する側の表面）を観察するための観察光Ｌ２０を出力し、集光部１４を介して、対象物１００の表面で反射された観察光Ｌ２０を検出する。つまり、観察部１７から出力された観察光Ｌ２０は、集光部１４を介して対象物１００の表面に照射され、対象物１００の表面で反射された観察光Ｌ２０は、集光部１４を介して観察部１７で検出される。
【００５４】  より具体的には、観察部１７から出力された観察光Ｌ２０は、ビームスプリッタ２０を透過してダイクロイックミラー１５で反射され、集光部１４から筐体１１外に出射する。対象物１００の表面で反射された観察光Ｌ２０は、集光部１４から筐体１１内に入射してダイクロイックミラー１５で反射され、ビームスプリッタ２０を透過して観察部１７に入射し、観察部１７で検出される。なお、レーザ光Ｌ１、測定光Ｌ１０及び観察光Ｌ２０のそれぞれの波長は、互いに異なっている（少なくともそれぞれの中心波長が互いにずれている）。
【００５５】  駆動部１８は、第４壁部２４側において仕切壁部２９に取り付けられている。駆動部１８は、例えば圧電素子の駆動力によって、第６壁部２６に配置された集光部１４をＺ方向に沿って移動させる。
【００５６】  回路部１９は、筐体１１内において、仕切壁部２９に対して第３壁部２３側に配置されている。つまり、回路部１９は、筐体１１内において、調整部１３、測定部１６及び観察部１７に対して第３壁部２３側に配置されている。回路部１９は、仕切壁部２９から離間している。回路部１９は、例えば、複数の回路基板である。回路部１９は、測定部１６から出力された信号、及び反射型空間光変調器３４に入力する信号を処理する。回路部１９は、測定部１６から出力された信号に基づいて駆動部１８を制御する。一例として、回路部１９は、測定部１６から出力された信号に基づいて、対象物１００の表面と集光部１４との距離が一定に維持されるように（すなわち、対象物１００の表面とレーザ光Ｌ１の集光点との距離が一定に維持されるように）、駆動部１８を制御する。なお、筐体１１には、回路部１９を制御部９（図１参照）等に電気的に接続するための配線が接続されるコネクタ（図示省略）が設けられている。
【００５７】  レーザ加工ヘッド１０Ｂは、レーザ加工ヘッド１０Ａと同様に、筐体（例えば第２筐体）１１と、入射部１２と、調整部１３と、集光部（例えば第２集光部）１４と、ダイクロイックミラー１５と、測定部１６と、観察部１７と、駆動部１８と、回路部１９と、を備えている。ただし、レーザ加工ヘッド１０Ｂの各構成は、図２に示されるように、１対の取付部６５，６６間の中点を通り且つＹ方向に垂直な仮想平面に関して、レーザ加工ヘッド１０Ａの各構成と面対称の関係を有するように、配置されている（なお、後述するように一例である）。
【００５８】  例えば、レーザ加工ヘッド１０Ａの筐体１１は、第４壁部２４が第３壁部２３に対してレーザ加工ヘッド１０Ｂ側に位置し且つ第６壁部２６が第５壁部２５に対して支持部７側に位置するように、取付部６５に取り付けられている。これに対し、レーザ加工ヘッド１０Ｂの筐体１１は、第４壁部２４が第３壁部２３に対してレーザ加工ヘッド１０Ａ側に位置し且つ第６壁部２６が第５壁部２５に対して支持部７側に位置するように、取付部６６に取り付けられている。すなわち、レーザ加工ヘッド１０Ｂにおいても、第４壁部２４は、レーザ加工ヘッド１０Ａの筐体にＹ方向に沿って対向する対向壁部である。またレーザ加工ヘッド１０Ｂにおいても、集光部１４は、Ｚ方向からみて、その筐体１１における第４壁部（対向壁部）２４側に偏って配置されている。
【００５９】  レーザ加工ヘッド１０Ｂの筐体１１は、第３壁部２３が取付部６６側に配置された状態で筐体１１が取付部６６に取り付けられるように、構成されている。具体的には、次のとおりである。取付部６６は、ベースプレート６６ａと、取付プレート６６ｂと、を有している。ベースプレート６６ａは、移動部６３に設けられたレールに取り付けられている。取付プレート６６ｂは、ベースプレート６６ａにおけるレーザ加工ヘッド１０Ａ側の端部に立設されている。レーザ加工ヘッド１０Ｂの筐体１１は、第３壁部２３が取付プレート６６ｂに接触した状態で、取付部６６に取り付けられている。レーザ加工ヘッド１０Ｂの筐体１１は、取付部６６に対して着脱可能である。［レーザ加工ヘッドの作用及び効果］
【００６０】  レーザ加工ヘッド１０Ａでは、レーザ光Ｌ１を出力する光源が筐体１１内に設けられていないため、筐体１１の小型化を図ることができる。更に、筐体１１において、第３壁部２３と第４壁部２４との距離が第１壁部２１と第２壁部２２との距離よりも小さく、第６壁部２６に配置された集光部１４がＹ方向において第４壁部２４側に片寄っている。これにより、集光部１４の光軸に垂直な方向に沿って筐体１１を移動させる場合に、例えば、第４壁部２４側に他の構成（例えば、レーザ加工ヘッド１０Ｂ）が存在したとしても、当該他の構成に集光部１４を近付けることができる。よって、レーザ加工ヘッド１０Ａは、集光部１４をその光軸に垂直な方向に沿って移動させるのに適し得る。
【００６１】  また、レーザ加工ヘッド１０Ａでは、入射部１２が、第５壁部２５に設けられており、Ｙ方向において第４壁部２４側に片寄っている。これにより、筐体１１内の領域のうち調整部１３に対して第３壁部２３側の領域に他の構成（例えば、回路部１９）を配置する等、当該領域を有効に利用することができる。
【００６２】  また、レーザ加工ヘッド１０Ａでは、集光部１４が、Ｘ方向において第２壁部２２側に片寄っている。これにより、集光部１４の光軸に垂直な方向に沿って筐体１１を移動させる場合に、例えば、第２壁部２２側に他の構成が存在したとしても、当該他の構成に集光部１４を近付けることができる。
【００６３】  また、レーザ加工ヘッド１０Ａでは、入射部１２が、第５壁部２５に設けられており、Ｙ方向において第４壁部２４側に片寄っていると共に、Ｘ方向において第２壁部２２側に片寄っている。これにより、筐体１１内の領域のうち調整部１３に対して第３壁部２３側の領域に他の構成（例えば、回路部１９）を配置する等、当該領域を有効に利用することができる。更に、筐体１１内の領域のうち調整部１３に対して第１壁部２１側の領域に他の構成（例えば、測定部１６及び観察部１７）を配置する等、当該領域を有効に利用することができる。
【００６４】  また、レーザ加工ヘッド１０Ａでは、測定部１６及び観察部１７が、筐体１１内の領域のうち調整部１３に対して第１壁部２１側の領域に配置されており、回路部１９が、筐体１１内の領域のうち調整部１３に対して第３壁部２３側に配置されており、ダイクロイックミラー１５が、筐体１１内において調整部１３と集光部１４との間に配置されている。これにより、筐体１１内の領域を有効に利用することができる。更に、レーザ加工装置１において、対象物１００の表面と集光部１４との距離の測定結果に基づいた加工が可能となる。また、レーザ加工装置１において、対象物１００の表面の観察結果に基づいた加工が可能となる。
【００６５】  また、レーザ加工ヘッド１０Ａでは、回路部１９が、測定部１６から出力された信号に基づいて駆動部１８を制御する。これにより、対象物１００の表面と集光部１４との距離の測定結果に基づいてレーザ光Ｌ１の集光点の位置を調整することができる。
【００６６】  また、レーザ加工ヘッド１０Ａでは、入射部１２、並びに、調整部１３のアッテネータ３１、ビームエキスパンダ３２及びミラー３３が、Ｚ方向に沿って延在する直線Ａ１上に配置されており、調整部１３の反射型空間光変調器３４、結像光学系３５及び集光部１４、並びに、集光部１４が、Ｚ方向に沿って延在する直線Ａ２上に配置されている。これにより、アッテネータ３１、ビームエキスパンダ３２、反射型空間光変調器３４及び結像光学系３５を有する調整部１３をコンパクトに構成することができる。
【００６７】  また、レーザ加工ヘッド１０Ａでは、直線Ａ１が、直線Ａ２に対して第２壁部２２側に位置している。これにより、筐体１１内の領域のうち調整部１３に対して第１壁部２１側の領域において、集光部１４を用いた他の光学系（例えば、測定部１６及び観察部１７）を構成する場合に、当該他の光学系の構成の自由度を向上させることができる。
【００６８】  以上の作用及び効果は、レーザ加工ヘッド１０Ｂによっても同様に奏される。［レーザ加工ヘッドの変形例］
【００６９】  図６に示されるように、入射部１２、調整部１３及び集光部１４は、Ｚ方向に沿って延在する直線Ａ上に配置されていてもよい。これによれば、調整部１３をコンパクトに構成することができる。その場合、調整部１３は、反射型空間光変調器３４及び結像光学系３５を有していなくてもよい。また、調整部１３は、アッテネータ３１及びビームエキスパンダ３２を有していてもよい。これによれば、アッテネータ３１及びビームエキスパンダ３２を有する調整部１３をコンパクトに構成することができる。なお、アッテネータ３１及びビームエキスパンダ３２の配列の順序は、逆であってもよい。
【００７０】  また、光源ユニット８の出射部８１ａからレーザ加工ヘッド１０Ａの入射部１２へのレーザ光Ｌ１の導光、及び光源ユニット８の出射部８２ａからレーザ加工ヘッド１０Ｂの入射部１２へのレーザ光Ｌ２の導光の少なくとも１つは、ミラーによって実施されてもよい。図７は、レーザ光Ｌ１がミラーによって導光されるレーザ加工装置１の一部分の正面図である。図７に示される構成では、レーザ光Ｌ１を反射するミラー３が、Ｙ方向において光源ユニット８の出射部８１ａと対向し且つＺ方向においてレーザ加工ヘッド１０Ａの入射部１２と対向するように、移動機構６の移動部６３に取り付けられている。
【００７１】  図７に示される構成では、移動機構６の移動部６３をＹ方向に沿って移動させても、Ｙ方向においてミラー３が光源ユニット８の出射部８１ａと対向する状態が維持される。また、移動機構６の取付部６５をＺ方向に沿って移動させても、Ｚ方向においてミラー３がレーザ加工ヘッド１０Ａの入射部１２と対向する状態が維持される。したがって、レーザ加工ヘッド１０Ａの位置によらず、光源ユニット８の出射部８１ａから出射されたレーザ光Ｌ１を、レーザ加工ヘッド１０Ａの入射部１２に確実に入射させることができる。しかも、光ファイバ２による導光が困難な高出力長短パルスレーザ等の光源を利用することもできる。
【００７２】  また、図７に示される構成では、ミラー３は、角度調整及び位置調整の少なくとも１つが可能となるように、移動機構６の移動部６３に取り付けられていてもよい。これによれば、光源ユニット８の出射部８１ａから出射されたレーザ光Ｌ１を、レーザ加工ヘッド１０Ａの入射部１２に、より確実に入射させることができる。
【００７３】  また、光源ユニット８は、１つの光源を有するものであってもよい。その場合、光源ユニット８は、１つの光源から出力されたレーザ光の一部を出射部８１ａから出射させ且つ当該レーザ光の残部を出射部８２ａから出射させるように、構成されていればよい。［レーザ加工装置の動作等について］
【００７４】  引き続いて、レーザ加工装置１の動作について説明する。図８は、レーザ加工装置の動作を示す模式的な上面図である。以降の図においては、図１〜７の各部の相対位置を維持しつつ、レーザ加工ヘッド１０Ａ，１０Ｂの模式化された内部を透過して示す。図８に示されるように、支持部７には、対象物１００が支持されている。なお、図中の符号Ｓは、上述した測定部１６や観察部１７といったように、改質領域を形成するためのレーザ光Ｌ１，Ｌ２の照射に係る光学系以外の光学系を代表して示している。
【００７５】  また、レーザ加工装置１は、倍率の異なる一対のアライメントカメラＡＣを備えている。アライメントカメラＡＣは、レーザ加工ヘッド１０Ａと共に取付部６５に取り付けられている。アライメントカメラＡＣは、例えば、対象物１００を透過する光を用いたデバイスパターン等を撮像する。これにより得られる画像は、対象物１００に対するレーザ光Ｌ１，Ｌ２の照射位置のアライメントに供される。
【００７６】  対象物１００には、Ｘ方向に沿って延びると共にＹ方向に沿って配列された複数のラインＣが設定されている。ラインＣは、仮想的な線であるが、実際に描かれた線であってもよい。なお、対象物１００には、Ｙ方向に沿って延びると共にＸ方向に沿って配列された複数のラインも設定されているが、その図示が省略されている。
【００７７】  レーザ加工装置１は、制御部９の制御のもとで各ラインＣに沿ったレーザ加工を実施する。制御部９は、ここでは、支持部７、取付部６５、及び、取付部６６の移動と、レーザ加工ヘッド１０Ａ及びレーザ加工ヘッド１０Ｂからのレーザ光Ｌ１，Ｌ２の照射と、を制御する。レーザ加工装置１にあっては、制御部９は、第１スキャン処理と第２スキャン処理とを実行する。第１スキャン処理は、複数のラインＣの一のラインＣに対してレーザ加工ヘッド１０Ａからのレーザ光Ｌ１をＸ方向にスキャンする処理である。第２スキャン処理は、複数のラインＣのうちの別のラインＣに対してレーザ加工ヘッド１０Ｂからのレーザ光Ｌ２をＸ方向にスキャンする処理である。
【００７８】  制御部９がレーザ光Ｌ１，Ｌ２をＸ方向にスキャンするとは、まず、取付部６５，６６を介してレーザ加工ヘッド１０Ａ，１０ＢをＹ方向及びＺ方向に移動させて、レーザ光Ｌ１，Ｌ２の集光点を、それぞれのラインＣ上であって対象物１００の内部となる位置に位置させた状態とする。そして、その状態において、支持部７をＸ方向に移動させることにより、対象物１００内をラインＣに沿ってＸ方向にレーザ光Ｌ１，Ｌ２の集光点を移動させることである。
【００７９】  特に、ここでは、制御部９は、第１スキャン処理と第２スキャン処理とを、少なくとも一部の時間において重複するように実行する。すなわち、制御部９は、一のラインＣに沿ってレーザ光Ｌ１がスキャンされている状態と、別のラインＣに沿ってレーザ光Ｌ２がスキャンされている状態とが、同時に実現されるようにする。つまり、制御部９は、レーザ加工ヘッド１０Ａとレーザ加工ヘッド１０Ｂとを同時に稼働する。これにより、１つのレーザ加工ヘッドを用いた加工に比べて明確にスループットの向上が図られる。
【００８０】  制御部９は、１つのラインＣに沿ったレーザ光Ｌ１，Ｌ２のスキャンが完了すると、レーザ加工ヘッド１０Ａ，１０Ｂのそれぞれを独立してラインＣの間隔の分だけＹ方向（必要に応じてＺ方向）に移動させて、次のラインＣに沿ったレーザ光Ｌ１，Ｌ２のスキャン（すなわち第１スキャン処理及び第２スキャン処理）を続ける。制御部９は、概ねラインＣの本数分だけこの動作を続けて行うことにより、全てのラインＣに沿って改質領域を形成する。
【００８１】  図９及び図１０に示されるように、ここでは、制御部９は、複数のラインＣのうちの対象物１００のＹ方向の一方の端部に位置するラインＣからＹ方向の内側のラインＣに向けて順に第１スキャン処理を実行する。これと共に、制御部９は、複数のラインＣのうちの対象物１００のＹ方向の他方の端部に位置するラインＣからＹ方向の内側のラインに向けて順に第２スキャン処理を実行する（これを主加工処理と称する）。Ｙ方向の一方の端部に位置するラインＣと、Ｙ方向の他方の端部に位置するラインＣとは、Ｘ方向について互いに同一の長さを有している。
【００８２】  この点についてより詳細に説明する。主加工処理においては、まず、制御部９は、取付部６５を介したレーザ加工ヘッド１０Ａの移動により、レーザ光Ｌ１の集光点を、対象物１００のＹ方向の一方の端部に位置するラインＣ上であって対象物１００の内部となる位置に位置させた状態とする。同時に、制御部９は、取付部６６を介したレーザ加工ヘッド１０Ｂの移動により、レーザ光Ｌ２の集光点を、対象物１００のＹ方向の他方の端部に位置するラインＣ上であって対象物１００の内部となる位置に位置させた状態とする。このとき、レーザ光Ｌ１の集光点のＸ方向の位置とレーザ光Ｌ２の集光点のＸ方向の位置とは一致している。
【００８３】  その状態において、制御部９は、支持部７をＸ方向に移動させることにより、対象物１００内をそれぞれのラインＣに沿ってＸ方向にレーザ光Ｌ１，Ｌ２の集光点を移動させる。これにより、それぞれのラインＣに対する第１スキャン処理と第２スキャン処理とが、同時に開始されると共に同時に完了する。すなわち、ここでは、第１スキャン処理と第２スキャン処理とがその全体において重複している。これにより、ラインＣに沿って対象物１００の内部に改質領域Ｍが形成される。
【００８４】  続いて、制御部９は、取付部６５を介したレーザ加工ヘッド１０Ａの移動により、レーザ光Ｌ１の集光点を、対象物１００のＹ方向の一方の端部から１つだけ内側に位置するラインＣ上であって対象物１００の内部となる位置に位置させた状態とする。同時に、制御部９は、取付部６６を介したレーザ加工ヘッド１０Ｂの移動により、レーザ光Ｌ２の集光点を、対象物１００のＹ方向の他方の端部から１つだけ内側に位置するラインＣ上であって対象物１００の内部となる位置に位置させた状態とする。このとき、レーザ光Ｌ１の集光点のＸ方向の位置とレーザ光Ｌ２の集光点のＸ方向の位置とは一致している。
【００８５】  その状態において、制御部９は、支持部７をＸ方向（往復動作の場合にはＸ方向の反対方向）に移動させることにより、対象物１００内をそれぞれのラインＣに沿ってＸ方向（往復動作の場合にはＸ方向の反対方向）にレーザ光Ｌ１，Ｌ２の集光点を移動させる。これにより、ここでも、それぞれのラインＣに対する第１スキャン処理と第２スキャン処理とが、同時に開始されると共に同時に完了する。すなわち、ここでも、第１スキャン処理と第２スキャン処理とがその全体において重複している。この制御部９の動作を繰り返し行うことにより、対象物１００のより内側のラインＣに至るまで、レーザ加工ヘッド１０Ａとレーザ加工ヘッド１０Ｂとを同時に稼働させて無駄なくレーザ加工ができる。
【００８６】  なお、図９以降の上面図においては、説明の必要上から、改質領域Ｍを実線として示しているが、対象物１００の表面から実際に改質領域Ｍが見えていることを要さない。
【００８７】  ここで、図１１に示されるように、上記の動作を繰り返すうちに、より対象物１００の内側の領域において、レーザ加工ヘッド１０Ａとレーザ加工ヘッド１０Ｂとの位置関係が、互いの距離がＹ方向にこれ以上縮まらない位置関係（例えば互いに接触している状態）となり、且つ、それぞれの集光部１４の間の距離Ｄに相当する対象物１００の領域に、未加工のラインＣが残存している場合がある。この場合には、上記のように第１スキャン処理と第２スキャン処理とを同時に実行することが困難となる。したがって、制御部９は、この場合には、次のような後加工処理を実行する。
【００８８】  すなわち、図１２に示されるように、制御部９は、主加工処理の結果、レーザ加工ヘッド１０Ａとレーザ加工ヘッド１０ＢとがＹ方向について最接近したときに、対象物１００におけるそれぞれの集光部１４の間の領域に一部のラインＣが残存しているときには、レーザ加工ヘッド１０Ａを対象物１００の当該領域から退避させつつ、レーザ加工ヘッド１０Ｂからのレーザ光Ｌ２を当該一部のラインＣに対してＸ方向にスキャンする（第２スキャン処理を実行する）後加工処理を実行する。
【００８９】  なお、レーザ加工ヘッド１０Ａとレーザ加工ヘッド１０Ｂとは逆でもよい。これにより、全てのラインＣに対してレーザ加工が完了する。その後、必要に応じて、支持部７を回転させることによりラインＣに交差するラインをＸ方向に沿うように設定し、上記の動作を繰り返すことができる。［レーザ加工装置の作用及び効果］
【００９０】  以上説明した様に、レーザ加工装置１は、Ｘ方向に沿って移動可能とされ、Ｘ方向及びＸ方向に交差するＹ方向に沿って対象物１００を支持するための支持部７と、Ｙ方向に沿って互いに対向するように配置され、支持部７に支持された対象物１００にレーザ光Ｌ１，Ｌ２を照射するためのレーザ加工ヘッド１０Ａ，１０Ｂと、を備える。また、レーザ加工装置１は、レーザ加工ヘッド１０Ａが取り付けられ、Ｘ方向及びＹ方向に交差するＺ方向とＹ方向とのそれぞれに沿って移動可能とされた取付部６５と、レーザ加工ヘッド１０Ｂが取り付けられ、Ｙ方向とＺ方向とのそれぞれに沿って移動可能とされた取付部６６と、を備える。
【００９１】  レーザ加工装置１においては、対象物１００を支持する支持部７上に、互に対向するようにレーザ加工ヘッド１０Ａ，１０Ｂが配置されている。そして、レーザ加工ヘッド１０Ａ，１０Ｂは、それぞれ、取付部６５，６６を介して、互に交差する２方向に独立して移動可能とされている。このため、対象物１００の２つの箇所において、互に独立して、レーザ光Ｌ１，Ｌ２のスキャンによりレーザ加工を行うことが可能となる。よって、スループットの向上が図られる。
【００９２】  レーザ加工装置１においては、レーザ加工ヘッド１０Ａは、筐体１１と、筐体１１における支持部７側の第６壁部２６に設けられ、支持部７に支持された対象物１００に向けてレーザ光Ｌ１を集光するための集光部１４と、を有する。また、レーザ加工ヘッド１０Ｂも、筐体１１と、筐体１１における支持部７側の第６壁部２６に設けられ、支持部７に支持された対象物１００に向けてレーザ光Ｌ２を集光するための集光部１４と、を有する。さらに、取付部６５，６６は、それぞれ、筐体１１におけるＹ方向に沿って互いに対向する第４壁部２４（対向壁部）と異なる壁部（ここでは、第３壁部２３）に取り付けられている。そして、集光部１４は、それぞれ、Ｚ方向からみて、筐体１１における第４壁部２４側に偏って配置されている。
【００９３】  このため、レーザ加工ヘッド１０Ａとレーザ加工ヘッド１０Ｂとの間に、取付部６５，６６が介在しない。したがって、Ｙ方向についてレーザ加工ヘッド１０Ａとレーザ加工ヘッド１０Ｂとをより接近させることができる。さらに、レーザ加工ヘッド１０Ａ，１０Ｂのそれぞれの集光部１４が、それぞれの筐体１１の互いに対向する第４壁部２４側に偏って配置されている。このため、レーザ加工ヘッド１０Ａとレーザ加工ヘッド１０Ｂとを接近させたときに、互いの集光部１４同士の距離をより小さくできる。この結果、Ｙ方向について、より狭い領域までレーザ加工ヘッド１０Ａ，１０Ｂの両方を用いた加工が可能となる。したがって、スループットを確実に向上可能である。
【００９４】  また、レーザ加工装置１は、支持部７及び取付部６５，６６の移動と、レーザ加工ヘッド１０Ａ，１０Ｂからのレーザ光Ｌ１，Ｌ２の照射と、を制御する制御部９を備えている。また、対象物１００には、Ｘ方向に沿って延びると共にＹ方向に沿って配列された複数のラインＣが設定されている。そして、制御部９は、複数のラインＣの一のラインＣに対してレーザ加工ヘッド１０Ａからのレーザ光Ｌ１をＸ方向にスキャンする第１スキャン処理と、複数のラインＣのうちの別のラインＣに対してレーザ加工ヘッド１０Ｂからのレーザ光Ｌ２をＸ方向にスキャンする第２スキャン処理とを、少なくとも一部の時間において重複するように実行する。このように、第１スキャン処理と第２スキャン処理とを、少なくとも一部重複して実行することにより、スループットの向上が図られる。なお、第１スキャン処理と第２スキャン処理とを同時に行うことにより、より確実にスループットを向上できる。
【００９５】  また、レーザ加工装置１においては、制御部９は、複数のラインＣのうちの対象物１００のＹ方向の一方の端部に位置するラインＣからＹ方向の内側のラインＣに向けて順に第１スキャン処理を実行しつつ、複数のラインＣのうちの対象物１００のＹ方向の他方の端部に位置するラインＣからＹ方向の内側のラインに向けて順に第２スキャン処理を実行する主加工処理を実行する。このように、主加工処理において、Ｙ方向における対象物１００の対照的な位置（且つ同一の長さ）のラインＣから順に第１スキャン処理及び第２スキャン処理を実行することにより、レーザ光Ｌ１，Ｌ２の集光点の対象物１００に対するＸ方向に沿った相対移動の無駄が省かれ、スループットがより向上される。
【００９６】  また、レーザ加工装置１においては、制御部９は、主加工処理の結果、レーザ加工ヘッド１０Ａとレーザ加工ヘッド１０ＢとがＹ方向について最接近したときに、対象物１００における集光部１４の間の領域に複数のラインＣのうちの一部のラインＣが残存しているときには、レーザ加工ヘッド１０Ａ，１０Ｂのうちの一方を、対象物１００の当該領域から退避させつつ、レーザ加工ヘッド１０Ａ，１０Ｂのうちの他方からのレーザ光を一部のラインＣに対してＸ方向にスキャンする後加工処理を実行する。このため、スループットを向上させつつ、漏れなくレーザ加工が可能である。
【００９７】  さらに、レーザ加工装置１においては、一例として、取付部６５は、レーザ加工ヘッド１０Ａの筐体１１における第４壁部２４の反対側の第３壁部２３に取り付けられている。また、取付部６６は、レーザ加工ヘッド１０Ｂの筐体１１における第４壁部２４の反対側の第３壁部２３に取り付けられている。このため、取付部６５及び取付部６６を、レーザ加工ヘッド１０Ａとレーザ加工ヘッド１０Ｂとの間に介在しないように、容易且つ確実に、レーザ加工ヘッド１０Ａ及びレーザ加工ヘッド１０Ｂに取り付けることが可能である。
【００９８】  ここで、レーザ加工装置１においては、筐体１１は、Ｘ方向において互いに対向する第１壁部２１及び第２壁部２２と、Ｙ方向において互いに対向する第３壁部２３及び第４壁部２４と、を含み、第３壁部２３と第４壁部２４との距離は、第１壁部２１と第２壁部２２との距離よりも小さい。
【００９９】  このため、レーザ加工ヘッド１０Ａ，１０Ｂのそれぞれの筐体１１のＹ方向のサイズがＸ方向のサイズよりも小さくなる。この結果、装置全体としてＹ方向に大型化される（フットプリントが大きくなる）ことが避けられる。なお、Ｘ方向は、支持部７及び対象物１００の移動方向である。このため、Ｘ方向については、レーザ光Ｌ１，Ｌ２のスキャンに際した支持部７及び対象物１００の移動量を考慮する必要があり、大型化の抑制の余地が小さい。よって、（スキャンの際の）支持部７及び対象物１００の移動量を考慮する必要のないＹ方向について大型化を避けることが有効である。
【０１００】  また、レーザ加工ヘッド１０Ａでは、回路部１９が、筐体１１内において、調整部１３に対して第３壁部２３側に配置されている。これにより、筐体１１内の領域のうち調整部１３に対して第３壁部２３側の領域を有効に利用することができる。
【０１０１】  また、レーザ加工ヘッド１０Ａでは、調整部１３が、筐体１１内において、仕切壁部２９に対して第４壁部２４側に配置されており、回路部１９が、筐体１１内において、仕切壁部２９に対して第３壁部２３側に配置されている。これにより、回路部１９で発生する熱が調整部１３に伝わり難くなるため、回路部１９で発生する熱によって調整部１３に歪みが生じるのを抑制することができ、レーザ光Ｌ１を適切に調整することができる。更に、例えば空冷又は水冷等によって、筐体１１内の領域のうち第３壁部２３側の領域において回路部１９を効率良く冷却することができる。
【０１０２】  また、レーザ加工ヘッド１０Ａでは、調整部１３が仕切壁部２９に取り付けられている。これにより、調整部１３を筐体１１内において確実に且つ安定的に支持することができる。［変形例］
【０１０３】  以上の実施形態は、レーザ加工装置の一実施形態を例示したものである。したがって、本開示に係るレーザ加工装置は、上記のレーザ加工装置１に限定されず、任意に変形され得る。
【０１０４】  図１３〜図１８は、取付部及びレーザ加工ヘッドの変形例を示す図である。図１３の（ａ）に示されるように、取付部６５をレーザ加工ヘッド１０Ａの筐体１１の第１壁部２１に設けつつ、取付部６６をレーザ加工ヘッド１０Ｂの筐体１１の第１壁部２１に設けてもよい。また、図１３の（ｂ）に示されるように、取付部６５をレーザ加工ヘッド１０Ａの筐体１１の第３壁部２３に設けつつ、取付部６６を、レーザ加工ヘッド１０Ｂの筐体１１の第３壁部２３に設ける態様において、取付部６５，６６における移動部６３，６４の位置をＸ方向に互い違いにしてもよい。さらに、図１３の（ｃ）に示されるように、取付部６５をレーザ加工ヘッド１０Ａの筐体１１の第２壁部２２に設けつつ、取付部６６をレーザ加工ヘッド１０Ｂの筐体１１の第２壁部２２に設けてもよい。
【０１０５】  また、図１４の（ａ）に示されるように、取付部６５をレーザ加工ヘッド１０Ａの筐体１１の第５壁部２５に設けつつ、取付部６６をレーザ加工ヘッド１０Ｂの筐体１１の第５壁部２５に設けてもよい。また、図１４の（ｂ）に示されるように、取付部６５をレーザ加工ヘッド１０Ａの筐体１１の第６壁部２６に設けつつ、取付部６６をレーザ加工ヘッド１０Ｂの筐体１１の第６壁部２６に設けてもよい。以上のように、取付部６５，６６は、それぞれ、Ｙ方向に沿って互いに対向する第４壁部２４と異なる壁部に取り付けられていればよい。さらに、図１４の（ｃ）に示されるように、第１壁部２１と第２壁部２２との間隔を拡大しつつ、Ｘ方向について筐体１１の中央部に集光部１４を設けてもよい。
【０１０６】  また、以上の例のように、レーザ加工装置１においては、一対のレーザ加工ヘッドとして、レーザ加工ヘッド１０Ａとレーザ加工ヘッド１０Ｂとを用いなくてもよい。すなわち、レーザ加工装置１においては、図１５の（ａ）に示されるように、一対の（１種類の）レーザ加工ヘッド１０Ａを用いたり、図１５の（ｂ）に示されるように、一対の（別の１種類の）レーザ加工ヘッド１０Ｂを用いたりすることができる。これらの場合には、一方のレーザ加工ヘッド１０Ａ，１０Ｂに対して他方のレーザ加工ヘッド１０Ａ，１０ＢをＺ軸方向を中心に１８０°回転させた状態において、それぞれの集光部１４のＸ方向の中心位置が一致するように配置される。これらの場合には、２種類のレーザ加工ヘッドを用意する必要がない。
【０１０７】  これらのように、レーザ加工ヘッド１０Ａのみ（或いはレーザ加工ヘッド１０Ｂのみ）を用いる場合であっても、取付部６５，６６を設ける壁部はさまざまに変更できる。例えば、図１６の（ａ）に示されるように、１つのレーザ加工ヘッド１０Ａの筐体１１の第１壁部２１に取付部６５を設けつつ、１つのレーザ加工ヘッド１０Ａの筐体１１の第２壁部２２に取付部６６を設けることができる。また、図１６の（ｂ）に示されるように、１つのレーザ加工ヘッド１０Ｂの筐体１１の第２壁部２２に取付部６５を設けつつ、１つのレーザ加工ヘッド１０Ｂの筐体１１の第１壁部２１に取付部６６を設けてもよい。すなわち、これらの場合であっても、取付部６５，６６は、それぞれ、Ｙ方向に沿って互いに対向する第４壁部２４と異なる壁部に取り付けられていればよい。
【０１０８】  ここで、図１７の（ａ）に示されるように、レーザ加工ヘッド１０Ａとレーザ加工ヘッド１０Ｂとを、互いがＸ方向に重複しない位置において、Ｙ方向に配列してもよい。この場合、図１７の（ｂ）に示されるように、レーザ加工ヘッド１０Ａの集光部１４と、レーザ加工ヘッド１０Ｂの集光部１４とを、Ｘ軸方向に重複させることが可能となる。よって、主加工処理において全てのラインＣに対して第１及び第２スキャン処理を実行してレーザ加工を施すことが可能となる。すなわち、後加工処理が不要となる。ただし、この場合、には、レーザ加工ヘッド１０Ａとレーザ加工ヘッド１０ＢとのＸ方向のシフト量の分だけ、第１及び第２スキャン処理の際の支持部７のＸ方向の移動距離が長くなる。図１８に示されるように、１種類（ここでは、レーザ加工ヘッド１０Ａ）のみを用いた場合でも同様である。
【０１０９】  図１７，１８に示される構成は、例えば、対象物１００が大判のガラスウェハである場合等、１２インチウェハよりもさらに大きいウエハを加工する場合に、１つのラインＣあたりの加工長さ（支持部７の移動距離の長さ）が伸びるデメリットよりも、最後まで２つのレーザ加工ヘッドで加工できる（後加工処理が不要となる）メリットが上回る場合に採用し得る。
【０１１０】  ここで、レーザ加工装置１の後加工処理の別の例として、図１９，２０に示される例が挙げられる。すなわち、ここでは、まず、図１９の（ａ）に示されるように、制御部９が、複数のラインＣのうちの対象物１００のＹ方向の一方の端部に位置するラインＣからＹ方向の内側のラインＣに向けて順に第１スキャン処理を実行する。これと共に、制御部９は、複数のラインＣのうちの対象物１００のＹ方向の他方の端部に位置するラインＣからＹ方向の内側のラインに向けて順に第２スキャン処理を実行する（すなわち、主加工処理を実行する）。
【０１１１】  図１０，１１においては、レーザ加工ヘッド１０Ａとレーザ加工ヘッド１０Ｂとが最接近（例えば接触）するまで主加工処理を行う例を挙げた。このとき、集光部１４同士の距離が距離Ｄであった。これに対して、この例においては、図１９の（ｂ）に示されるように、制御部９は、主加工処理を進めることによって、レーザ加工ヘッド１０Ａの集光部１４とレーザ加工ヘッド１０Ｂの集光部１４とがＹ方向に徐々（ラインＣの間隔ごと）に近接して、集光部１４同士の距離が距離Ｄの２倍より大きな（或いは同程度の）距離Ｅ１に至ったとき、レーザ光Ｌ１，Ｌ２のスキャンを停止する。これと共に、図２０の（ａ）に示されるように、制御部９は、レーザ加工ヘッド１０Ａ，１０Ｂのうちの一方（ここではレーザ加工ヘッド１０Ｂ）を、レーザ加工ヘッド１０Ａ，１０Ｂの他方（ここではレーザ加工ヘッド１０Ａ）側に距離Ｄだけ移動させる。これにより、集光部１４同士の距離は距離Ｅ１よりも小さな距離Ｅ２となる。距離Ｅ１が距離Ｄの概ね２倍であった場合には、距離Ｅ２は距離Ｄとほぼ同等である。
【０１１２】  制御部９は、その状態において、集光部１４同士の距離を距離Ｅ２に維持しながら、Ｙ方向に順に第１スキャン処理及び第２スキャン処理を実行する。このとき、レーザ加工ヘッド１０Ａとレーザ加工ヘッド１０Ｂとは、同一方向（Ｙ方向）に移動しながら、Ｘ方向へのレーザ光Ｌ１，Ｌ２のスキャン繰り返すこととなる。そして、第１スキャン処理及び第２スキャン処理を同時に続けていったときに、最後に未加工のラインＣが残存した場合にのみ、当該ラインＣに対して、レーザ加工ヘッド１０Ａ，１０Ｂの一方を用いて加工を行う。このとき、レーザ加工ヘッド１０Ａ，１０Ｂのうちの他方は、距離Ｅ２が維持される位置に保持されていてもよいし、別の位置に移動させられてもよい。以上が、この例での後加工処理である。これによれば、一対のレーザ加工ヘッド１０Ａ，１０Ｂのうちの一方のみでの加工時間を可能な限り減らしてスループットのさらなる向上が図られる。特に、Ｙ方向におけるラインＣの間隔が、距離Ｄに対して十分に小さい場合（例えば、距離Ｄの範囲に数百のラインＣが存在する場合）に有効である。
【０１１３】  また、レーザ加工装置１の主加工処理の別の例を挙げることもできる。すなわち、図８等においては、制御部９が、複数のラインＣのうちの対象物１００のＹ方向の一方の端部に位置するラインＣからＹ方向の内側のラインＣに向けて順に第１スキャン処理を実行すると共に、複数のラインＣのうちの対象物１００のＹ方向の他方の端部に位置するラインＣからＹ方向の内側のラインに向けて順に第２スキャン処理を実行する主加工処理を例示した。
【０１１４】  しかしながら、レーザ加工装置１においては、第１スキャン処理と第２スキャン処理とを少なくとも一部の時間において重複するように実行すれば、スループットの向上が図られるため、主加工処理の例は上記の例に限定されない。例えば、制御部９は、複数のラインＣのうちの対象物１００のＹ方向の一方の端部に位置するラインＣからＹ方向の内側のラインＣに向けて順に第１スキャン処理を実行すると共に、複数のラインＣのうちのＹ方向の中央部のラインＣから対象物１００のＹ方向の他方の端部側に向けて順に第２スキャン処理を実行するようにしてもよい。この場合には、同時に実行される第１スキャン処理と第２スキャン処理との間においてラインＣの長さが異なることから、相対的に長いラインＣのスキャンに合わせた対象物１００のＸ方向の移動が必要となるが、対象物１００の状況に応じてメリットが生じる可能性もある。さらには、以上の例と異なるスキャンの態様であってもよい。
【０１１５】  なお、制御部９は、レーザ加工ヘッド１０Ａからのレーザ光Ｌ１と、レーザ加工ヘッド１０Ｂからのレーザ光Ｌ２とで、互に異なる波長、及びＺ方向の集光位置において、対象物１００を加工する処理（多波長加工）を実行するようにしてもよい。多波長加工は、例えば、シリコン（Ｓｉ）とガラスとを貼り合わせたウェハを加工する場合（第１の場合）や、裏面側から入射したレーザ光Ｌ１，Ｌ２の一部がデバイスに吸収されることにより回路の破損が生じ得るウェハを加工する場合（第２の場合）等に使用できる。
【０１１６】  第１の場合、シリコンを加工する波長（例えば１０６４ｎｍ）の光とガラスを加工する波長（例えば５３２ｎｍ）の光とがいずれも対象材料に届く必要があるため、ガラス側から加工を実施する。レーザ加工ヘッド１０Ａからのレーザ光Ｌ１の集光位置をガラス越しにシリコン内に合わせ、レーザ加工ヘッド１０Ｂからのレーザ光Ｌ２の集光位置をガラス内に併せて、対応する波長にて加工を実施する。このように異なる２種類の基材が貼り合されたウェハを多波長加工で加工するためには、その波長のうち、下側の記載を加工する波長は、上側の基材を透過する波長である必要がある。ここでは、一対のレーザ加工ヘッド１０Ａ，１０Ｂを用いて多波長加工を行うためスループットの向上が図られる。
【０１１７】  一方、第２の場合、レーザ加工ヘッド１０Ａからのレーザ光Ｌ１の集光位置をデバイス近傍に設定し、且つ、レーザ加工ヘッド１０Ｂからのレーザ光Ｌ２の集光位置をデバイスから離れた位置に設定する。レーザ光Ｌ１の波長は、デバイス側への抜け光が少なくなるように、より基材に吸収がある波長（例えば１０６４ｎｍ）とし、レーザ光Ｌ２の波長は、多少の抜け光が生じるとしても、より基材の加工に適したレーザ光Ｌ１の波長よりも長い波長（例えば１３４２ｎｍ）とすることができる。
【０１１８】  なお、回路部１９は、測定部１６から出力された信号、及び／又は、反射型空間光変調器３４に入力する信号を処理するものに限定されず、レーザ加工ヘッドにおいて何らかの信号を処理するものであればよい。
【産業上の利用可能性】
【０１１９】  スループットを向上可能なレーザ加工装置が提供される。
【符号の説明】
【０１２０】１…レーザ加工装置、７…支持部、９…制御部、１０Ａ…レーザ加工ヘッド（第１レーザ加工ヘッド）、１０Ｂ…レーザ加工ヘッド（第２レーザ加工ヘッド）、１１…筐体（第１筐体、第２筐体）、１４…集光部（第１集光部、第２集光部）、２４…第４壁部（対向壁部）、６５…取付部（第１取付部）、６６…取付部（第２取付部）、１００…対象物、Ｃ…ライン、Ｌ１，Ｌ２…レーザ光。
【図１】
2020090906.tif 000003
【図２】
2020090906.tif 000004
【図３】
2020090906.tif 000005
【図４】
2020090906.tif 000006
【図５】
2020090906.tif 000007
【図６】
2020090906.tif 000008
【図７】
2020090906.tif 000009
【図８】
2020090906.tif 000010
【図９】
2020090906.tif 000011
【図１０】
2020090906.tif 000012
【図１１】
2020090906.tif 000013
【図１２】
2020090906.tif 000014
【図１３】
2020090906.tif 000015
【図１４】
2020090906.tif 000016
【図１５】
2020090906.tif 000017
【図１６】
2020090906.tif 000018
【図１７】
2020090906.tif 000019
【図１８】
2020090906.tif 000020
【図１９】
2020090906.tif 000021
【図２０】
2020090906.tif 000022
【国際調査報告】
2020090906.tif 000023
2020090906.tif 000024
2020090906.tif 000025